(57)【要約】【課題】FPCのコストの低減を図り、かつFPCのサイズを小さくすることによって電気光学装置を搭載する電子機器の設計の自由度を高めることができる電気光学装置を提供する。【解決手段】本発明の電気光学装置は、基板上に搭載され、入力側の複数の電極パッド１１と出力側の複数の電極パッド１２とを有する駆動回路素子４を有する。さらに、基板上に形成され、外部入力端子部２ｃにそれぞれ接続されて駆動回路素子４の複数の電極パッド１１へ入力信号を供給する複数の配線６と、基板上に形成され、駆動回路素子４の複数の電極パッド１２から出力される出力信号を表示領域の配線へ供給する複数の配線７とを有する。複数の電極パッド１１は、駆動回路素子４の基板側の面の一辺に沿って、かつ一辺の一部に一列に設けられ、複数の電極パッド１２は、一辺とは反対側の一辺に沿って一列に設けられている。【選択図】図１
2006066674.tif 000002
【特許請求の範囲】
【請求項１】
外部入力端子部に入力される入力信号に基づいて、基板の表示領域に画像を表示する電気光学装置であって、
前記基板上に搭載され、複数の第１の電極パッドと複数の第２の電極パッドとを有する駆動回路素子と、
前記基板上に形成され、前記外部入力端子部にそれぞれ接続されて前記駆動回路素子の前記複数の第１の電極パッドへ前記入力信号を供給する複数の第１の配線と、
前記基板上に形成され、前記駆動回路素子の前記複数の第２の電極パッドから出力される出力信号を前記表示領域の配線へ供給する複数の第２の配線と、
を有し、
前記複数の第１の電極パッドは、前記駆動回路素子の前記基板側の面の一辺に沿って、かつ該一辺の一部に一列に設けられ、前記複数の第２の電極パッドは、前記一辺とは反対側の一辺に沿って一列に設けられていることを特徴とする電気光学装置。
【請求項２】
前記一辺の前記一部は、前記一辺の中央部であることを特徴とする請求項１に記載の電気光学装置。
【請求項３】
前記駆動回路素子の前記一辺の前記一部以外の部分には、前記複数の第１の電極パッドと同じ列上に設けられた複数のダミーの電極パッドが形成されていることを特徴とする請求項１又は請求項２に記載の電気光学装置。
【請求項４】
前記複数の第１の配線は、互いに同じ配線長であることを特徴とする請求項１から請求項３のいずれかに記載の電気光学装置。
【請求項５】
前記複数の第１の電極パッドは、前記一辺の一部に連続して並んでいることを特徴とする請求項１から請求項４のいずれかに記載の電気光学装置。
【請求項６】
前記外部入力端子部に接続されたフレキシブルプリント基板を有し、
前記フレキシブルプリント基板の幅は、前記駆動回路素子の前記一辺の長さより短いことを特徴とする請求項１から請求項５のいずれかに記載の電気光学装置。
【請求項７】
請求項１から請求項５のいずれかに記載の電気光学装置を有する電子機器。
【発明の詳細な説明】
【技術分野】
【０００１】
本発明は、電気光学装置及び電子機器に関し、特に、基板上に駆動回路素子が搭載された電気光学装置及び電子機器に関する。
【背景技術】
【０００２】
従来より、液晶表示装置等の電気光学装置が、携帯電話、プロジェクター装置等の電子機器に広く搭載されている。  
２次元マトリックスの液晶表示領域を有する液晶表示パネルは、一般に、駆動用半導体装置、すなわちいわゆるドライバICチップにより駆動され、液晶表示領域に透過光あるいは反射光による画像を生成する。ドライバICチップは、液晶表示パネルの基板上にCOG（Chip on Glass）により実装される場合がある。
【０００３】
その場合、液晶表示パネルの基板上のドライバICチップには、フレキシブルプリント基板（以下、FPCと略す）を介して外部から電源信号及び画素信号等の入力信号が入力される。液晶表示パネルは、ドライバICチップからの電源電圧信号を含む出力信号に基づいて駆動される。
【０００４】
一般に、ドライバICチップにおいて、入力信号用の電極パッド数は、出力信号用の電極パッド数に比べて少ない。例えば、液晶表示部がQVGA液晶であって、ドライバICチップが２次元マトリックスの一方向である縦方向の信号のみを処理する場合、入力側は約１５０個の電極パッド数に対して、出力側は約７２０個の電極パッド数となる。
【０００５】
また、ドライバICチップにおいて、入力側の複数の電極パッドを、ドライバICチップの底面の長辺の一辺に沿って一列に設け、出力側の複数の電極パッドを、反対側の一辺に沿って設けるようにする提案がある（例えば、特許文献１参照）。このとき、出力側に比べて数の少ない入力側の複数の電極パッドは、出力側の電極パッドと略同じ長さに渡って、一辺に均等に配置されている。これは、基板上の配線パターンが形成される面積を小さくし、かつ配線抵抗のばらつきを少なくするためである。  
【特許文献１】特開平07-253591号公報
【発明の開示】
【発明が解決しようとする課題】
【０００６】
しかし、上記提案に係るドライバICチップをCOGにより液晶パネル上に実装した場合、入力側の複数の電極パッドは、出力側の電極パッドと略同じ長さに渡って、ドライバICチップの底面の長辺のそれぞれに均等に配置される。そのため、基板上の入力側の配線の間隔は、出力側の配線の間隔に比べて、広くなる。そして、液晶表示パネルに接続されるFPCは、基板上の入力側の配線の間隔に合わせた配線の間隔を有する。
【０００７】
従って、上記提案によるドライバICチップのように、入力側の配線の間隔が広くなると、FPC自体の面積が大きくなってFPCのコストの上昇に繋がる。加えて、FPCが占める面積が大きいため、液晶表示パネルが搭載される電子機器の構造設計等において、大きな制限があった。
【０００８】
そこで、本発明は、このような課題に鑑みて成されたものであり、FPCのコストの低減を図り、かつFPCのサイズを小さくすることによって電気光学装置を搭載する電子機器の設計の自由度を高めることができる電気光学装置を提供することを目的とする。
【課題を解決するための手段】
【０００９】
本発明の電気光学装置は、外部入力端子部に入力される入力信号に基づいて、基板の表示領域に画像を表示する電気光学装置であって、前記基板上に搭載され、複数の第１の電極パッドと複数の第２の電極パッドとを有する駆動回路素子と、前記基板上に形成され、前記外部入力端子部にそれぞれ接続されて前記駆動回路素子の前記複数の第１の電極パッドへ前記入力信号を供給する複数の第１の配線と、前記基板上に形成され、前記駆動回路素子の前記複数の第２の電極パッドから出力される出力信号を前記表示領域の配線へ供給する複数の第２の配線とを有し、前記複数の第１の電極パッドは、前記駆動回路素子の前記基板側の面の一辺に沿って、かつ該一辺の一部に一列に設けられ、前記複数の第２の電極パッドは、前記一辺とは反対側の一辺に沿って一列に設けられている。
【００１０】
このような構成によれば、FPCのコストの低減を図り、かつFPCのサイズを小さくすることによって電気光学装置を搭載する電子機器の設計の自由度を高めることができる。
【００１１】
また、本発明の電気光学装置において、前記一辺の前記一部は、前記一辺の中央部であることが望ましい。
【００１２】
このような構成によれば、駆動回路素子と基板との電気的接続の信頼性を高くすることができる。
【００１３】
また、本発明の電気光学装置において、前記駆動回路素子の前記一辺の前記一部以外の部分には、前記複数の第１の電極パッドと同じ列上に設けられた複数のダミーの電極パッドが形成されていることが望ましい。
【００１４】
このような構成によれば、駆動回路素子を基板２に実装する際、駆動回路素子の複数の電極パッドのそれぞれにかかる圧力が略等しくなるようにすることができる。
【００１５】
また、本発明の電気光学装置において、前記複数の第１の配線は、互いに同じ配線長であることが望ましい。
【００１６】
このような構成によれば、駆動回路素子の入力側の配線抵抗のばらつきを抑えることができる。
【００１７】
また、本発明の電気光学装置において、前記複数の第１の電極パッドは、前記一辺の一部に連続して並んでいることが望ましい。
【００１８】
このような構成によれば、前記複数の第１の配線部の幅が小さくなり、前記外部入力端子部に接続されるフレキシブルプリント基板等の幅も小さくすることができるので、電気光学装置が搭載される電子機器、例えば携帯電話の構造、配線等の設計の自由度を高めることができる。
【００１９】
また、本発明の電気光学装置において、前記外部入力端子部に接続されたフレキシブルプリント基板を有し、前記フレキシブルプリント基板の幅は、前記駆動回路素子の前記一辺の長さより短いことが望ましい。
【００２０】
このような構成によれば、フレキシブルプリント基板が占める面積を小さくできるので、電気光学装置が搭載される電子機器、例えば携帯電話の構造、配線等の設計の自由度を高めることができる。
【００２１】
また、本発明の電子機器は、本発明の電気光学装置を有する電子機器であることが望ましい。
【００２２】
このような構成によれば、電気光学装置が搭載される電子機器のコストを低減でき、さらに電子機器の設計の自由度が高い。
【発明を実施するための最良の形態】
【００２３】
以下、図面を参照して本発明の実施の形態に係る、電気光学装置としての液晶表示パネルを説明する。なお、本実施の形態に係る液晶表示パネルは、ＳＴＮと言ったパッシブタイプであっても良いし、ＴＦＤ，ＴＦＴ，ＬＴＰＳといったアクティブタイプであっても良い。  
図１は、本実施の形態に係わる液晶表示パネルの構成を説明するための模式平面図である。図２は、本実施の形態に係わる液晶表示パネルの構成を説明するための模式側面図である。  
液晶表示パネル１は、２枚のガラス基板２，３を貼り合わせて構成されている。貼り合わされた２枚のガラス基板の間には、液晶が封入される。液晶が封入された領域が、表示部としての表示領域３ａを構成し、表示領域３ａに画像が表示される。
【００２４】
２枚のうちの一方のガラス基板２は、他方のガラス基板３よりも面積が大きい。よって、２枚のガラス基板２，３を貼り合わせた状態において、基板２は、基板３よりも大きく張り出している部分（以下、張り出し部という）２ａを有する。後述するように、張り出し部２ａの表面に、入力用と出力用の複数の配線が形成される。張り出し部２ａの表面には、これら複数の配線と電気的に接続されるように、駆動回路素子であるドライバICチップ４がCOGにより搭載される。
【００２５】
さらに詳述すれば、張り出し部２ａは、図１の平面図に示すように、略矩形形状を有する。略直方体形状のドライバICチップ４は、その張り出し部２ａの略中央部にCOGにより搭載される。なお、ドライバICチップ４は、張り出し部２ａの略中央部以外の場所に搭載されてもよい。
【００２６】
張り出し部２ａにおける基板３が貼り合わされる表面上には、ドライバICチップ４との電気的接続を行うための複数の配線のパターンが形成されている。基板２の表面上に搭載されたドライバICチップ４の下部から、基板３とは反対側の基板２の縁部２ｂへ延びる複数の配線６は、ドライバICチップ４への入力信号のための配線である。複数の配線６の縁部２ｂ側の近傍部分は、液晶表示パネル１の外部入力端子部２ｃを構成する。
【００２７】
複数の配線６は、外部入力端子部２ｃにおいて、FPC５の金属配線と圧着等により電気的に接続される。従って、ドライバICチップ４には、外部からの電源、画素信号等の入力信号が、FPC５を介して供給される。  
さらに、入力側の複数の配線６は、互いに平行で、かつそれぞれ略直線状に、基板２上に形成されている。その結果、複数の配線６は、互いに同じ配線長（ドライバICチップ４の電極パッド１１と接続される部分から外部入力端子部２ｃのFPC５の金属配線と接続される部分までの長さ）である。このように、複数の配線６を互いに平行でかつそれぞれ略直線状に形成することは、配線抵抗のばらつきを抑えることができ、かつ、張り出し部２ａを小さくすることができるというメリットがある。
【００２８】
同様に、ドライバICチップ４の下部から、基板３側へ延びる複数の配線７は、ドライバICチップ４からの出力信号のための配線である。ドライバICチップ４からの電源、画素信号等の出力信号が、液晶表示パネル１の表示領域３ａの配線へ供給される。さらに、出力側の複数の配線７のうち、ドライバICチップ４の下部から基板３側へ向かって延びる部分は、互いに平行で、かつそれぞれ略直線状に、基板２上に形成されている。
【００２９】
図１に示すドライバICチップ４は、表示領域３ａの２次元のX方向とY方向の両方の配線に画素信号等を供給する。図１において、出力側の複数の配線７の内の一部８は、表示領域の配線の中でY方向の配線に接続される。なお、X方向とY方向のそれぞれに、ドライバICチップを個別に設けるようにしてもよい。
【００３０】
また、ドライバICチップ４の基板側の面（以下、底面という）４ａには、入力信号側の複数の電極パッド１１が、図３に示すように、長辺の一辺に沿って、かつその一辺の中央部に一列に設けられている。図３は、本実施の形態に係わるドライバICチップ４の底面図である。具体的には、複数の電極パッド１１は、ドライバICチップ４の底面の一辺に沿って、かつその一辺の一部に一列に設けられている。特に本実施の形態では、複数の電極パッド１１は、その一辺の略中央部にまとめて連続して並んで、すなわち電極パッド１１間には、後述するダミーの電極パッドがないように、設けられている。電極パッド１１はドライバICチップ４の底面の一辺の略中央部にまとめて設けられているので、ドライバICチップ４と基板２との電気的接続の信頼性は、ドライバICチップ４の底面の一辺の略中央部以外の場所にまとめて設けられている場合に比べ、高い。
【００３１】
このような構成によれば、入力側の複数の配線６の部分全体の幅Ｌ１は、狭くなり、その結果、縁部２ｂの近傍に圧着接続されるFPC５の全体の幅Ｌ２も、複数の配線６の部分の幅に応じて狭くすることができる。すなわち、外部入力端子部２ｃに接続されるFPC５の幅は、ドライバICチップ４の長手方向の長さＬ３より短くすることができる。よって、液晶表示パネル１を搭載する電子機器、例えば携帯電話において、従来のようにFPC５により占有される空間、あるいはFPC５により覆われる領域が少なくなるので、設計の自由度が大きくなる。
【００３２】
逆に、FPC５の配線形成技術の向上に合わせて、ドライバICチップ４の入力信号側の電極パッドの間隔を設定すれば、FPC５の全体の幅、すなわち、FPC５の複数の配線の延びる方向に直交する方向の長さを最も狭くすることができる。
【００３３】
一方、出力側の複数の電極パッド１２は、図３に示すように、反対側の一辺に沿って一列に設けられている。複数の電極パッド１２は、ドライバICチップ４の底面において、複数の電極パッド１１のある一辺とは反対側の一辺に沿って一列に設けられている。
【００３４】
また、入力側の複数の配線６に対応する複数の電極パッド１１は、ドライバICチップ４の底面の一辺の中央部に一列に設けられているが、その一辺の中央部以外の部分には、電極パッド１１と同じ列上に設けられた複数のダミーの電極パッド１３が形成されている。すなわち、図３に示すように、ドライバICチップ４の底面の一辺の複数の電極パッド１１が並んだ線１１ａ上であって、中央部の両側に複数のダミーの電極パッド１３が形成されている。ダミーの電極パッド１３のそれぞれは、ドライバICチップ４内の回路とは一切接続されていない形状等だけが電極パッド１１と同じものである。複数のダミーの電極パッド１３は、ドライバICチップ４をCOGにより基板２に実装する際、ドライバICチップ４の底面において、入力側の電極パッド１１と出力側の電極パッド１２の各パッドにかかる圧力が略等しくなるようにするためである。
【００３５】
以上のように、本実施の形態の構成によれば、FPC５は、ドライバICチップ４の入力側の複数の電極パッド１１の幅と略同じ幅を有することができる。従って、基板２に接続されたFPC５自体の面積が小さくなり、FPC５のコストを低減することができる。加えて、FPC５が占める面積が小さいので、液晶表示パネル１が搭載される電子機器、例えば携帯電話の構造、配線等の設計の自由度を高めることができる。
【００３６】
なお、ドライバICチップ４の底面４ａにおいて、入力信号側の複数の電極パッド１１が、図４に示すように、長辺の一辺に沿って、かつその一辺の中央部以外の部分に一列に設けられるようにしてもよい。図４は、本実施の形態の変形例に係わるドライバICチップ４の底面図である。具体的には、複数の電極パッド１１は、ドライバICチップ４の底面の一辺に沿って、かつその一辺の一部に一列に設けられているが、複数の電極パッド１１は、その一辺の一方側にまとめて設けられている。  
このような構成によっても、FPC５のコストを低減することができ、加えて、FPC５が占める面積が小さいので、電子機器の構造、配線等の設計の自由度を高めることができる。
【００３７】
なお、図３及び図４では、ドライバICチップ４の底面に形成される入力側の複数の電極パッド１１間には、ダミーの電極パッド１３は１つもないが、入力側の電極パッド間にダミーの電極パッド１３が、いくらか有ってもよい。
【００３８】
本発明は、上述した実施の形態に限定されるものではなく、本発明の要旨を変えない範囲において、種々の変更、改変等が可能である。
【産業上の利用可能性】
【００３９】
本発明は、液晶表示パネルだけでなく、エレクトロルミネッセンス装置、有機エレクトロルミネッセンス装置、プラズマディスプレイ装置、電気泳動ディスプレイ装置、電気放出素子を用いた装置（Field Emission Display 及びSurface-Conduction Electron-Emission Display等）等の各種の電気光学装置においても同様に適用することが可能である。
【００４０】
さらに、本発明に係る電気光学装置が適用できる電子機器としては、携帯電話、プロジェクタの他に、PDA(Personal Digital Assistants：携帯情報端末)、携帯型パーソナルコンピュータ、デジタルカメラ、車載用モニタ、デジタルビデオカメラ、液晶テレビ、ビューファインダ型もしくは直視型ビデオテープレコーダ、カーナビゲーション装置、ページャ、電子手帳、電卓、ワードプロセッサ、ワークステーション、テレビ電話機、POS端末機等がある。
【図面の簡単な説明】
【００４１】
【図１】本発明の実施の形態に係わる液晶表示パネルの模式平面図。
【図２】本発明の実施の形態に係わる液晶表示パネルの模式側面図。
【図３】本発明の実施の形態に係わるドライバICチップの底面図。
【図４】本発明の実施の形態の変形例に係わるドライバICチップの底面図。
【符号の説明】
【００４２】
１  液晶表示パネル、２  ガラス基板、２ａ  張り出し部、２ｂ  縁部、２ｃ  外部入力端子部、３  ガラス基板、３ａ  表示領域、４  ドライバICチップ、４ａ  底面、５  FPC、６  入力側配線、７  出力側配線、１１  入力側電極パッド、１２  出力側電極パッド、１３  ダミー電極パッド
【図１】
2006066674.tif 000003
【図２】
2006066674.tif 000004
【図３】
2006066674.tif 000005
【図４】
2006066674.tif 000006